(57)【要約】【課題】本構成を有しない場合と比較して、電源装置内の一時的な異常状態をより正確に判定（検出）する。【解決手段】交流電圧を全波整流して第１の脈流電圧を出力するダイオードブリッジ１８ｃから出力された第１の脈流電圧の値が予め定められた閾値α以上の場合にはオン、かつ第１の脈流電圧の値が閾値α未満の場合にはオフを示す第１の信号を出力する電圧状態検出部２０と、入力部１６に入力された交流電圧を全波整流して第２の脈流電圧を出力するダイオードブリッジ２２ａから出力された第２の脈流電圧の値が閾値α以上の場合にはオン、かつ第２の脈流電圧の値が閾値α未満の場合にはオフを示す第２の信号を出力する電圧状態検出部２２ｂを備えた検出部２２と、第１の信号の状態及び第２の信号の状態が異なる場合には、異常状態と判定する異常状態判定部２４とを備える。【選択図】図１
2010220459.tif 000002
【特許請求の範囲】
【請求項１】
交流電源から交流電圧を入力するための入力部と、
前記入力部と配線を介して電気的に接続され、かつ前記入力部から入力された交流電圧を全波整流して第１の脈流電圧を出力する第１の整流部、及び前記第１の整流部から出力された第１の脈流電圧を直流電圧に変換して負荷に供給する直流電圧供給部を備えた直流電源生成部と、
前記第１の整流部から出力された第１の脈流電圧の値が予め定められた閾値以上の場合には第１の状態、かつ前記第１の整流部から出力された第１の脈流電圧の値が前記閾値未満の場合には第２の状態を示す第１の信号を出力する第１の電圧状態検出手段と、
前記入力部に入力された交流電圧を全波整流して第２の脈流電圧を出力する第２の整流部、及び前記第２の整流部から出力された第２の脈流電圧の値が前記閾値以上の場合には前記第１の状態、かつ前記第２の整流部から出力された第２の脈流電圧の値が前記閾値未満の場合には前記第２の状態を示す第２の信号を出力する第２の電圧状態検出手段を備えた検出部と、
前記第１の電圧状態検出手段から出力された第１の信号、及び前記第２の電圧状態検出手段から出力された第２の信号に基づいて、前記第１の信号の状態及び前記第２の信号の状態が異なる場合には、異常状態と判定する異常状態判定手段と、
を含む電源装置。
【請求項２】
交流電源から交流電圧を入力するための入力部と、
前記入力部と配線を介して電気的に接続され、かつ前記入力部から入力された交流電圧を全波整流して第１の脈流電圧を出力する第１の整流部、及び前記第１の整流部から出力された第１の脈流電圧を直流電圧に変換して負荷に供給する直流電圧供給部を備えた直流電源生成部と、
前記第１の整流部から出力された第１の脈流電圧の値が予め定められた閾値以上の場合には第１の状態、かつ前記第１の整流部から出力された第１の脈流電圧の値が前記閾値未満の場合には第２の状態を示す第１の信号を出力する第１の電圧状態検出手段と、
前記交流電源と前記入力部との間の交流電圧を全波整流して第２の脈流電圧を出力する第２の整流部、及び前記第２の整流部から出力された第２の脈流電圧の値が前記閾値以上の場合には前記第１の状態、かつ前記第２の整流部から出力された第２の脈流電圧の値が前記閾値未満の場合には前記第２の状態を示す第２の信号を出力する第２の電圧状態検出手段を備えた検出部と、
前記第１の電圧状態検出手段から出力された第１の信号、及び前記第２の電圧状態検出手段から出力された第２の信号に基づいて、前記第１の信号の状態及び前記第２の信号の状態が異なる場合には、異常状態と判定する異常状態判定手段と、
を含む電源装置。
【請求項３】
交流電源から交流電圧を入力するための入力部と、
前記入力部と配線を介して電気的に接続され、かつ前記入力部から入力された交流電圧を全波整流して第１の脈流電圧を出力する第１の整流部、及び前記第１の整流部から出力された第１の脈流電圧を直流電圧に変換して負荷に供給する直流電圧供給部を備えた直流電源生成部と、
前記第１の整流部から出力された第１の脈流電圧の値が予め定められた閾値以上の場合には第１の状態、かつ前記第１の整流部から出力された第１の脈流電圧の値が前記閾値未満の場合には第２の状態を示す第１の信号を出力する第１の電圧状態検出手段と、
前記入力部に入力された交流電圧を全波整流して第２の脈流電圧を出力する第２の整流部、及び前記第２の整流部から出力された第２の脈流電圧の値が前記閾値以上の場合には前記第１の状態、かつ前記第２の整流部から出力された第２の脈流電圧の値が前記閾値未満の場合には前記第２の状態を示す第２の信号を出力する第２の電圧状態検出手段を備えた検出部と、
前記入力部に印加されている交流電圧の零交差点を含む予め定められた領域を検出する領域検出手段と、
前記第１の電圧状態検出手段から出力された第１の信号、前記第２の電圧状態検出手段から出力された第２の信号、及び前記領域検出手段での検出結果に基づいて、前記領域検出手段で前記領域が検出されていない場合で、かつ前記第１の信号の状態及び前記第２の信号の状態が異なるときに、異常状態と判定する異常状態判定手段と、
を含む電源装置。
【請求項４】
交流電源から交流電圧を入力するための入力部と、
前記入力部と配線を介して電気的に接続され、かつ前記入力部から入力された交流電圧を全波整流して第１の脈流電圧を出力する第１の整流部、及び前記第１の整流部から出力された第１の脈流電圧を直流電圧に変換して負荷に供給する直流電圧供給部を備えた直流電源生成部と、
前記第１の整流部から出力された第１の脈流電圧の値が予め定められた閾値以上の場合には第１の状態、かつ前記第１の整流部から出力された第１の脈流電圧の値が前記閾値未満の場合には第２の状態を示す第１の信号を出力する第１の電圧状態検出手段と、
前記交流電源と前記入力部との間の交流電圧を全波整流して第２の脈流電圧を出力する第２の整流部、及び前記第２の整流部から出力された第２の脈流電圧の値が前記閾値以上の場合には前記第１の状態、かつ前記第２の整流部から出力された第２の脈流電圧の値が前記閾値未満の場合には前記第２の状態を示す第２の信号を出力する第２の電圧状態検出手段を備えた検出部と、
前記入力部に印加されている交流電圧の零交差点を含む予め定められた領域を検出する領域検出手段と、
前記第１の電圧状態検出手段から出力された第１の信号、前記第２の電圧状態検出手段から出力された第２の信号、及び前記領域検出手段での検出結果に基づいて、前記領域検出手段で前記領域が検出されていない場合で、かつ前記第１の信号の状態及び前記第２の信号の状態が異なるときに、異常状態と判定する異常状態判定手段と、
を含む電源装置。
【請求項５】
交流電源から交流電圧を入力するための入力部と、
前記入力部と配線を介して電気的に接続され、かつ前記入力部から入力された交流電圧を全波整流して第１の脈流電圧を出力する第１の整流部、及び前記第１の整流部から出力された第１の脈流電圧を直流電圧に変換して負荷に供給する直流電圧供給部を備えた直流電源生成部と、
前記第１の整流部から出力された第１の脈流電圧の値が予め定められた閾値以上の場合には第１の状態、かつ前記第１の整流部から出力された第１の脈流電圧の値が前記閾値未満の場合には第２の状態を示す第１の信号を出力する第１の電圧状態検出手段と、
前記入力部に入力された交流電圧を全波整流して第２の脈流電圧を出力する第２の整流部、及び前記第２の整流部から出力された第２の脈流電圧の値が前記閾値以上の場合には前記第１の状態、かつ前記第２の整流部から出力された第２の脈流電圧の値が前記閾値未満の場合には前記第２の状態を示す第２の信号を出力する第２の電圧状態検出手段を備えた検出部と、
前記第１の電圧状態検出手段から出力された第１の信号の状態、及び前記第２の電圧状態検出手段から出力された第２の信号の状態に基づいて、前記第１の信号の状態及び前記第２の信号の状態が異なる場合に、前記第１の信号の状態及び前記第２の信号の状態が異なることを示す状態となる第３の信号を生成する生成手段と、
前記生成手段で生成された第３の信号が示す前記異なることを示す状態の隣り合う時間間隔が、周期的な時間間隔でない場合には、異常状態と判定すると共に、前記生成手段で生成された第３の信号が前記異なることを示す状態であっても、前記異なることを示す状態の時間間隔が、周期的な時間間隔である場合には、正常状態と判定する異常状態判定手段と、
を含む電源装置。
【請求項６】
交流電源から交流電圧を入力するための入力部と、
前記入力部と配線を介して電気的に接続され、かつ前記入力部から入力された交流電圧を全波整流して第１の脈流電圧を出力する第１の整流部、及び前記第１の整流部から出力された第１の脈流電圧を直流電圧に変換して負荷に供給する直流電圧供給部を備えた直流電源生成部と、
前記第１の整流部から出力された第１の脈流電圧の値が予め定められた閾値以上の場合には第１の状態、かつ前記第１の整流部から出力された第１の脈流電圧の値が前記閾値未満の場合には第２の状態を示す第１の信号を出力する第１の電圧状態検出手段と、
前記交流電源と前記入力部との間の交流電圧を全波整流して第２の脈流電圧を出力する第２の整流部、及び前記第２の整流部から出力された第２の脈流電圧の値が前記閾値以上の場合には前記第１の状態、かつ前記第２の整流部から出力された第２の脈流電圧の値が前記閾値未満の場合には前記第２の状態を示す第２の信号を出力する第２の電圧状態検出手段を備えた検出部と、
前記第１の電圧状態検出手段から出力された第１の信号の状態、及び前記第２の電圧状態検出手段から出力された第２の信号の状態に基づいて、前記第１の信号の状態及び前記第２の信号の状態が異なる場合に、前記第１の信号の状態及び前記第２の信号の状態が異なることを示す状態となる第３の信号を生成する生成手段と、
前記生成手段で生成された第３の信号が示す前記異なることを示す状態の隣り合う時間間隔が、周期的な時間間隔でない場合には、異常状態と判定すると共に、前記生成手段で生成された第３の信号が前記異なることを示す状態であっても、前記異なることを示す状態の時間間隔が、周期的な時間間隔である場合には、正常状態と判定する異常状態判定手段と、
を含む電源装置。
【請求項７】
前記異常状態判定手段によって異常状態と判定された場合に、前記入力部から前記第１の整流部への交流電圧の入力を停止するように制御する電圧入力制御手段を更に含む請求項１〜請求項６の何れか１項記載の電源装置。
【請求項８】
前記第１の整流部及び前記第２の整流部をダイオードブリッジとし、
前記第１の電圧状態検出手段及び前記第２の電圧状態検出手段をフォトカプラとした請求項１〜請求項７の何れか１項記載の電源装置。
【請求項９】
前記第１の整流部と前記第１の電圧状態検出手段との間に、抵抗値を変更可能な可変抵抗を更に設けた請求項８記載の電源装置。
【請求項１０】
前記第１の状態はオンであり、かつ前記第２の状態はオフであるか、または、前記第１の状態はオフであり、かつ前記第２の状態はオンである請求項１〜請求項９の何れか１項記載の電源装置。
【請求項１１】
請求項１〜請求項１０の何れか１項記載の電源装置を備えた画像形成装置。
【発明の詳細な説明】
【技術分野】
【０００１】
本発明は、電源装置、及び画像形成装置に関する。
【背景技術】
【０００２】
従来、定着器の温度を検出するサーミスタ、機内の温度を検出するサーミスタ、機外の温度を検出するサーミスタ、ＡＣ入力電源の入力電圧検出手段、装置内のＤＣ電圧検出手段等により事故解析に必要な情報を検知し、この情報を記憶制御手段を介して記憶装置に格納する画像形成装置が知られている（例えば、特許文献１参照）。
【先行技術文献】
【特許文献】
【０００３】
【特許文献１】特開平１０−２５４３０９号公報
【発明の概要】
【発明が解決しようとする課題】
【０００４】
本発明は、本構成を有しない場合と比較して、電源装置内の一時的な異常状態をより正確に判定（検出）することができる電源装置、及び画像形成装置を提供することを目的とする。
【課題を解決するための手段】
【０００５】
上記目的を達成するために、請求項１記載の発明の電源装置は、交流電源から交流電圧を入力するための入力部と、前記入力部と配線を介して電気的に接続され、かつ前記入力部から入力された交流電圧を全波整流して第１の脈流電圧を出力する第１の整流部、及び前記第１の整流部から出力された第１の脈流電圧を直流電圧に変換して負荷に供給する直流電圧供給部を備えた直流電源生成部と、前記第１の整流部から出力された第１の脈流電圧の値が予め定められた閾値以上の場合には第１の状態、かつ前記第１の整流部から出力された第１の脈流電圧の値が前記閾値未満の場合には第２の状態を示す第１の信号を出力する第１の電圧状態検出手段と、前記入力部に入力された交流電圧を全波整流して第２の脈流電圧を出力する第２の整流部、及び前記第２の整流部から出力された第２の脈流電圧の値が前記閾値以上の場合には前記第１の状態、かつ前記第２の整流部から出力された第２の脈流電圧の値が前記閾値未満の場合には前記第２の状態を示す第２の信号を出力する第２の電圧状態検出手段を備えた検出部と、前記第１の電圧状態検出手段から出力された第１の信号、及び前記第２の電圧状態検出手段から出力された第２の信号に基づいて、前記第１の信号の状態及び前記第２の信号の状態が異なる場合には、異常状態と判定する異常状態判定手段とを含んで構成されている。
【０００６】
また、上記目的を達成するために、請求項２記載の発明の電源装置は、交流電源から交流電圧を入力するための入力部と、前記入力部と配線を介して電気的に接続され、かつ前記入力部から入力された交流電圧を全波整流して第１の脈流電圧を出力する第１の整流部、及び前記第１の整流部から出力された第１の脈流電圧を直流電圧に変換して負荷に供給する直流電圧供給部を備えた直流電源生成部と、前記第１の整流部から出力された第１の脈流電圧の値が予め定められた閾値以上の場合には第１の状態、かつ前記第１の整流部から出力された第１の脈流電圧の値が前記閾値未満の場合には第２の状態を示す第１の信号を出力する第１の電圧状態検出手段と、前記交流電源と前記入力部との間の交流電圧を全波整流して第２の脈流電圧を出力する第２の整流部、及び前記第２の整流部から出力された第２の脈流電圧の値が前記閾値以上の場合には前記第１の状態、かつ前記第２の整流部から出力された第２の脈流電圧の値が前記閾値未満の場合には前記第２の状態を示す第２の信号を出力する第２の電圧状態検出手段を備えた検出部と、前記第１の電圧状態検出手段から出力された第１の信号、及び前記第２の電圧状態検出手段から出力された第２の信号に基づいて、前記第１の信号の状態及び前記第２の信号の状態が異なる場合には、異常状態と判定する異常状態判定手段とを含んで構成されている。
【０００７】
また、上記目的を達成するために、請求項３記載の発明の電源装置は、交流電源から交流電圧を入力するための入力部と、前記入力部と配線を介して電気的に接続され、かつ前記入力部から入力された交流電圧を全波整流して第１の脈流電圧を出力する第１の整流部、及び前記第１の整流部から出力された第１の脈流電圧を直流電圧に変換して負荷に供給する直流電圧供給部を備えた直流電源生成部と、前記第１の整流部から出力された第１の脈流電圧の値が予め定められた閾値以上の場合には第１の状態、かつ前記第１の整流部から出力された第１の脈流電圧の値が前記閾値未満の場合には第２の状態を示す第１の信号を出力する第１の電圧状態検出手段と、前記入力部に入力された交流電圧を全波整流して第２の脈流電圧を出力する第２の整流部、及び前記第２の整流部から出力された第２の脈流電圧の値が前記閾値以上の場合には前記第１の状態、かつ前記第２の整流部から出力された第２の脈流電圧の値が前記閾値未満の場合には前記第２の状態を示す第２の信号を出力する第２の電圧状態検出手段を備えた検出部と、前記入力部に印加されている交流電圧の零交差点を含む予め定められた領域を検出する領域検出手段と、前記第１の電圧状態検出手段から出力された第１の信号、前記第２の電圧状態検出手段から出力された第２の信号、及び前記領域検出手段での検出結果に基づいて、前記領域検出手段で前記領域が検出されていない場合で、かつ前記第１の信号の状態及び前記第２の信号の状態が異なるときに、異常状態と判定する異常状態判定手段とを含んで構成されている。
【０００８】
また、上記目的を達成するために、請求項４記載の発明の電源装置は、交流電源から交流電圧を入力するための入力部と、前記入力部と配線を介して電気的に接続され、かつ前記入力部から入力された交流電圧を全波整流して第１の脈流電圧を出力する第１の整流部、及び前記第１の整流部から出力された第１の脈流電圧を直流電圧に変換して負荷に供給する直流電圧供給部を備えた直流電源生成部と、前記第１の整流部から出力された第１の脈流電圧の値が予め定められた閾値以上の場合には第１の状態、かつ前記第１の整流部から出力された第１の脈流電圧の値が前記閾値未満の場合には第２の状態を示す第１の信号を出力する第１の電圧状態検出手段と、前記交流電源と前記入力部との間の交流電圧を全波整流して第２の脈流電圧を出力する第２の整流部、及び前記第２の整流部から出力された第２の脈流電圧の値が前記閾値以上の場合には前記第１の状態、かつ前記第２の整流部から出力された第２の脈流電圧の値が前記閾値未満の場合には前記第２の状態を示す第２の信号を出力する第２の電圧状態検出手段を備えた検出部と、前記入力部に印加されている交流電圧の零交差点を含む予め定められた領域を検出する領域検出手段と、前記第１の電圧状態検出手段から出力された第１の信号、前記第２の電圧状態検出手段から出力された第２の信号、及び前記領域検出手段での検出結果に基づいて、前記領域検出手段で前記領域が検出されていない場合で、かつ前記第１の信号の状態及び前記第２の信号の状態が異なるときに、異常状態と判定する異常状態判定手段とを含んで構成されている。
【０００９】
また、上記目的を達成するために、請求項５記載の発明の電源装置は、交流電源から交流電圧を入力するための入力部と、前記入力部と配線を介して電気的に接続され、かつ前記入力部から入力された交流電圧を全波整流して第１の脈流電圧を出力する第１の整流部、及び前記第１の整流部から出力された第１の脈流電圧を直流電圧に変換して負荷に供給する直流電圧供給部を備えた直流電源生成部と、前記第１の整流部から出力された第１の脈流電圧の値が予め定められた閾値以上の場合には第１の状態、かつ前記第１の整流部から出力された第１の脈流電圧の値が前記閾値未満の場合には第２の状態を示す第１の信号を出力する第１の電圧状態検出手段と、前記入力部に入力された交流電圧を全波整流して第２の脈流電圧を出力する第２の整流部、及び前記第２の整流部から出力された第２の脈流電圧の値が前記閾値以上の場合には前記第１の状態、かつ前記第２の整流部から出力された第２の脈流電圧の値が前記閾値未満の場合には前記第２の状態を示す第２の信号を出力する第２の電圧状態検出手段を備えた検出部と、前記第１の電圧状態検出手段から出力された第１の信号の状態、及び前記第２の電圧状態検出手段から出力された第２の信号の状態に基づいて、前記第１の信号の状態及び前記第２の信号の状態が異なる場合に、前記第１の信号の状態及び前記第２の信号の状態が異なることを示す状態となる第３の信号を生成する生成手段と、前記生成手段で生成された第３の信号が示す前記異なることを示す状態の隣り合う時間間隔が、周期的な時間間隔でない場合には、異常状態と判定すると共に、前記生成手段で生成された第３の信号が前記異なることを示す状態であっても、前記異なることを示す状態の時間間隔が、周期的な時間間隔である場合には、正常状態と判定する異常状態判定手段とを含んで構成されている。
【００１０】
また、上記目的を達成するために、請求項６記載の発明の電源装置は、交流電源から交流電圧を入力するための入力部と、前記入力部と配線を介して電気的に接続され、かつ前記入力部から入力された交流電圧を全波整流して第１の脈流電圧を出力する第１の整流部、及び前記第１の整流部から出力された第１の脈流電圧を直流電圧に変換して負荷に供給する直流電圧供給部を備えた直流電源生成部と、前記第１の整流部から出力された第１の脈流電圧の値が予め定められた閾値以上の場合には第１の状態、かつ前記第１の整流部から出力された第１の脈流電圧の値が前記閾値未満の場合には第２の状態を示す第１の信号を出力する第１の電圧状態検出手段と、前記交流電源と前記入力部との間の交流電圧を全波整流して第２の脈流電圧を出力する第２の整流部、及び前記第２の整流部から出力された第２の脈流電圧の値が前記閾値以上の場合には前記第１の状態、かつ前記第２の整流部から出力された第２の脈流電圧の値が前記閾値未満の場合には前記第２の状態を示す第２の信号を出力する第２の電圧状態検出手段を備えた検出部と、前記第１の電圧状態検出手段から出力された第１の信号の状態、及び前記第２の電圧状態検出手段から出力された第２の信号の状態に基づいて、前記第１の信号の状態及び前記第２の信号の状態が異なる場合に、前記第１の信号の状態及び前記第２の信号の状態が異なることを示す状態となる第３の信号を生成する生成手段と、前記生成手段で生成された第３の信号が示す前記異なることを示す状態の隣り合う時間間隔が、周期的な時間間隔でない場合には、異常状態と判定すると共に、前記生成手段で生成された第３の信号が前記異なることを示す状態であっても、前記異なることを示す状態の時間間隔が、周期的な時間間隔である場合には、正常状態と判定する異常状態判定手段とを含んで構成されている。
【００１１】
請求項７記載の発明の電源装置は、前記異常状態判定手段によって異常状態と判定された場合に、前記入力部から前記第１の整流部への交流電圧の入力を停止するように制御する電圧入力制御手段を更に含むようにしたものである。
【００１２】
請求項８記載の発明の電源装置は、前記第１の整流部及び前記第２の整流部をダイオードブリッジとし、前記第１の電圧状態検出手段及び前記第２の電圧状態検出手段をフォトカプラとしたものである。
【００１３】
請求項９記載の発明の電源装置は、前記第１の整流部と前記第１の電圧状態検出手段との間に、抵抗値を変更可能な可変抵抗を更に設けるようにしたものである。
【００１４】
請求項１０記載の発明の電源装置は、前記第１の状態はオンであり、かつ前記第２の状態はオフであるか、または、前記第１の状態はオフであり、かつ前記第２の状態はオンであるようにしたものである。
【００１５】
請求項１１記載の発明の画像形成装置は、請求項１〜請求項１０の何れか１項記載の発明の電源装置を備えたものである。
【発明の効果】
【００１６】
請求項１〜６、請求項１０、及び請求項１１に記載の各発明によれば、本構成を有しない場合と比較して、電源装置内の一時的な異常状態をより正確に判定（検出）することができる、という効果を有する。
【００１７】
請求項７に記載の発明によれば、異常状態の場合には電力の供給を停止することができる、という効果を有する。
【００１８】
請求項８に記載の発明によれば、ＣＰＵ等の演算処理手段を備えたマイコンを用いて異常状態を判定する場合と比較して、より簡易な構成で異常状態を判定できる、という効果を有する。
【００１９】
請求項９に記載の発明によれば、可変抵抗の抵抗値を適切に設定することにより、第１の電圧状態検出手段及び第２の電圧状態検出手段で用いられる閾値が適切な値となるように調整可能となる、という効果を有する。
【図面の簡単な説明】
【００２０】
【図１】第１の実施の形態における電源装置の概略構成図である。
【図２】第１の実施の形態の電源装置の動作を示す図である。
【図３】第１の実施の形態の電源装置の動作を示す図である。
【図４】変形例の電源装置の概略構成図である。
【図５】第２の実施の形態における電源装置の概略図である。
【図６】ゼロクロス信号を説明するための図である。
【図７】第２の実施の形態における制御装置の概略構成図である。
【図８】正常状態であるにもかかわらず、排他的論理和回路から異常状態を示す信号が出力される一例である。
【図９】正常状態であるにもかかわらず、排他的論理和回路から異常状態を示す信号が出力される一例である。
【図１０】正常状態であるにもかかわらず、排他的論理和回路から異常状態を示す信号が出力される一例である。
【図１１】第２の実施の形態の制御装置が実行する異常判定処理のフローチャートを示す図である。
【図１２】第３の実施の形態における制御装置の概略構成図である。
【図１３】第３の実施の形態の制御装置が実行する異常判定処理のフローチャートを示す図である。
【図１４】周期パターンを説明するための図である。
【発明を実施するための形態】
【００２１】
以下、本発明を画像形成装置に備えられた電源装置に適用した場合の各実施形態について説明する。
【００２２】
まず、第１の実施の形態について説明する。図１は、本実施の形態における画像形成装置の電源装置１０の概略構成図である。図１に示すように、電源装置１０は、商用電源（例えばＡＣ１００Ｖ）の電力を供給するためのコンセント１２に電源コード１４のプラグ１４ａを差し込むと共に、電源コード１４のプラグ１４ｂをインレット１６ａに接続することで、電源装置１０に商用電源から電力が供給される。すなわち、交流電源から交流電圧が電源装置１０に入力される。
【００２３】
電源装置１０は、入力部１６、直流電源生成回路（ＬＶＰＳ）１８、電圧状態検出部２０、検出部２２、及び異常状態判定部２４を備えている。
【００２４】
入力部１６は、インレット１６ａ、ＧＦＩ１６ｂ、ノイズフィルタ（Ｎ／Ｆ）１６ｃ、及び電圧入力制御部１６ｄを備えている。
【００２５】
インレット１６ａには、電源コード１４を介して交流電力が供給される。すなわち、インレット１６ａに交流電圧が入力される。ＧＦＩ１６ｂは、いわゆるブレーカとしての機能を有しており、ノイズフィルタ１６ｃはノイズを除去する機能を有する。また、電圧入力制御部１６ｄは、ノイズフィルタ１６ｃと直流電源生成回路１８とを接続する配線９０に流れる電流の導通、非導通を制御するためのものであり、詳細を以下で説明する異常状態判定部２４から出力された信号の状態がオフである場合には電流を導通させるが、異常状態判定部２４から出力された信号の状態が一旦オンになると、以降、電流を導通させなくなるようにする。このようにしてインレット１６ａに入力された交流電力は、ＧＦＩ１６ｂ、ノイズフィルタ１６ｃ、電圧入力制御部１６ｄを経由して、配線（商用電源ライン（ホットライン／ニュートラルライン））９０を介して直流電源生成回路１８に出力される。すなわち、本実施の形態の入力部１６は、交流電源から交流電圧を入力するためのものであり、電圧入力制御部１６ｄは、異常状態判定部２４から出力された信号の状態が一旦オンになると、以降、入力部１６から直流電源生成回路１８（より詳しくはダイオードブリッジ１８ｃ）への交流電圧の入力を停止するように制御する。
【００２６】
直流電源生成回路１８は、入力部１６と配線９０を介して電気的に接続されている。直流電源生成回路１８は、整流平滑回路１８ｂを含んで構成されている。
【００２７】
整流平滑回路１８ｂは、ダイオードブリッジ１８ｃ、及びＤＣ／ＤＣコンバータ１８ｄを備えている。
【００２８】
ダイオードブリッジ１８ｃは、入力部１６から入力された交流電力を全波整流してＤＣ／ＤＣコンバータ１８ｄに出力する。ＤＣ／ＤＣコンバータ１８ｄは全波整流された電力を平滑化して直流電力に変換して負荷９２に供給する。これにより、負荷９２に直流電力が供給される。ここで、負荷は、例えば、画像形成を行う際に用いられるモータやソレノイドなどである。すなわち、ダイオードブリッジ１８ｃは、入力部１６から入力された交流電圧を全波整流して脈流電圧をＤＣ／ＤＣコンバータ１８ｄに出力する。また、ＤＣ／ＤＣコンバータ１８ｄは、ダイオードブリッジ１８ｃから出力された脈流電圧を直流電圧に変換して負荷９２に供給する。なお、ダイオードブリッジ１８ｃは本発明の第１の整流部に対応し、ＤＣ／ＤＣコンバータ１８ｄは本発明の直流電圧供給部に対応し、直流電源生成回路１８は本発明の直流電源生成部に対応し、ダイオードブリッジ１８ｃから出力された脈流電圧は本発明の第１の脈流電圧に対応する。
【００２９】
また、ダイオードブリッジ１８ｃには、電圧状態検出部２０が電気的に接続されている。ダイオードブリッジ１８ｃからＤＣ／ＤＣコンバータ１８ｄへの脈流電圧供給ライン７０の７０ａ、７０ｂで分岐した配線が電圧状態検出部２０に接続されている。電圧状態検出部２０は、フォトカプラ２０ａ、及び可変抵抗２０ｂを備えている。
【００３０】
フォトカプラ２０ａは、フォトダイオード及びフォトトランジスタを含んで構成されている。フォトカプラ２０ａは、可変抵抗２０ｂを介してダイオードブリッジ１８ｃに電気的に接続されている。また、フォトカプラ２０ａは、配線９４によって異常状態判定部２４と接続されている。フォトカプラ２０ａによって、ダイオードブリッジ１８ｃから出力された脈流電圧の値が予め定められた閾値α以上の場合には、配線９４に出力される信号の状態がオン（ＨＩＧＨ（ハイ））となり、ダイオードブリッジ１８ｃから出力された脈流電圧の値が閾値α未満の場合には、配線９４に出力される信号の状態がオフ（ＬＯＷ（ロー））となる。なお、配線９４には、ＤＣ／ＤＣコンバータ１８ｄの出力端と負荷９２とを電気的に接続する配線９５に一端が接続されたプルアップ用の抵抗（プルアップ抵抗）９６の他端が接続されている。
【００３１】
なお、フォトカプラ２０ａが出力する信号のオン／オフの閾値と、詳細を以下で説明するフォトカプラ２２ｃが出力する信号のオン／オフの閾値とが同じ値となり適切な値となるように、可変抵抗２０ｂの抵抗値をユーザが適切に設定することができる。
【００３２】
検出部２２は、入力部１６の電源供給ラインと電気的に接続されており、ダイオードブリッジ２２ａ、及び電圧状態検出部２２ｂを備えている。商用電源ライン（ホットライン／ニュートラルライン）７２の７２ａ、７２ｂで分岐した配線が検出部２２に接続されている。
【００３３】
ダイオードブリッジ２２ａは、入力部１６に入力された交流電圧を全波整流して脈流電圧を電圧状態検出部２２ｂに出力する。また、ダイオードブリッジ２２ａには、電圧状態検出部２２ｂが電気的に接続されている。
【００３４】
なお、ダイオードブリッジ２２ａは本発明の第２の整流部に対応し、ダイオードブリッジ２２ａから出力された脈流電圧は本発明の第２の脈流電圧に対応する。
【００３５】
電圧状態検出部２２ｂは、フォトカプラ２２ｃ、及び抵抗２２ｄを備えている。フォトカプラ２２ｃは、フォトダイオード及びフォトトランジスタを含んで構成されている。フォトカプラ２２ｃは、抵抗２２ｄを介してダイオードブリッジ２２ａに電気的に接続されている。また、フォトカプラ２２ｃは、配線９７によって異常状態判定部２４と接続されている。フォトカプラ２２ｃによって、ダイオードブリッジ２２ａから出力された脈流電圧の値が上述した閾値α以上の場合には、配線９７に出力される信号の状態がオンとなり、ダイオードブリッジ２２ａから出力された脈流電圧の値が閾値α未満の場合には、配線９７に出力される信号の状態がオフとなる。なお、配線９７には、ＤＣ／ＤＣコンバータ１８ｄの出力端と負荷９２とを電気的に接続する配線９５に一端が接続されたプルアップ用の抵抗（プルアップ抵抗）９８の他端が接続されている。また、オンの信号の状態は、本発明の第１の状態に対応し、オフの信号の状態は、本発明の第２の状態に対応する。
【００３６】
異常状態判定部２４は、排他的論理和（Exclusive or）回路２４ａを含んで構成されている。排他的論理和回路２４ａの入力端Ｉａには、配線９４が接続されており、排他的論理和回路２４ａの入力端Ｉｂには、配線９７が接続されている。また、排他的論理和回路２４ａの出力端Ｏには、電圧入力制御部１６ｄが接続されている。
【００３７】
排他的論理和回路２４ａは、入力端Ｉａに入力された信号の状態（レベル）がオン（ＨＩＧＨ）であり、かつ入力端Ｉｂに入力された信号の状態がオン（ＨＩＧＨ）である場合、及び、入力端Ｉａに入力された信号の状態がオフ（ＬＯＷ）であり、かつ入力端Ｉｂに入力された信号の状態がオフ（ＬＯＷ）である場合に、出力端Ｏから状態がオフ（ＬＯＷ）の信号を出力する。すなわち、排他的論理和回路２４ａは、入力端Ｉａに入力された信号の状態と、入力端Ｉｂに入力された信号の状態とが同じである場合には、出力端Ｏから状態がオフ（ＬＯＷ）の信号を出力する。
【００３８】
また、排他的論理和回路２４ａは、入力端Ｉａに入力された信号の状態がオン（ＨＩＧＨ）であり、かつ入力端Ｉｂに入力された信号の状態がオフ（ＬＯＷ）である場合、及び、入力端Ｉａに入力された信号の状態がオフ（ＬＯＷ）であり、かつ入力端Ｉｂに入力された信号の状態がオン（ＨＩＧＨ）である場合に、出力端Ｏから状態がオン（ＨＩＧＨ）の信号を出力する。すなわち、排他的論理和回路２４ａは、入力端Ｉａに入力された信号の状態と、入力端Ｉｂに入力された信号の状態とが異なる場合には、出力端Ｏから状態がオン（ＨＩＧＨ）の信号を出力する。
【００３９】
すなわち、排他的論理和回路２４ａは、入力端Ｉａに入力された信号の状態、及び入力端Ｉｂに入力された信号の状態に基づいて、入力端Ｉａに入力された信号の状態及び入力端Ｉｂに入力された信号の状態が異なる場合に、入力端Ｉａに入力された信号の状態及び入力端Ｉｂに入力された信号の状態が異なることを示す状態となる信号を生成し、出力端Ｏから出力する。
【００４０】
なお、以下で詳細を説明するが、電源装置１０の電源供給路の７２ａ〜７０ａ間、及び７２ｂ〜７０ｂ間の少なくとも一方で一時的な断線（瞬断）が発生した場合には、入力端Ｉａに入力された信号の状態と、入力端Ｉｂに入力された信号の状態とが異なり、出力端Ｏから状態がオン（ＨＩＧＨ）の信号が出力される。このように、異常状態判定部２４は、一時的な断線が発生した場合には、出力端Ｏから状態がオン（ＨＩＧＨ）の信号を出力することにより、異常状態であると判定する。このため、一時的な断線が発生したことを検出（異常状態であると判定）することが可能となる領域を広げるために、電源装置１０の電源供給路の７２ａ〜７０ａ間、及び７２ｂ〜７０ｂ間の距離は可能な限り長いほうが好ましい。
【００４１】
次に、本実施の形態の電源装置１０の動作について説明する。
【００４２】
まず、一時的な断線が発生していない状態の場合（正常状態の場合）について説明する。正常状態の場合には、図１に示すＡの部位、Ｂの部位、Ｃの部位、Ｄの部位、Ｅの部位、Ｆの部位、及びＧの部位の各々の電位の状態は、図２に示すようになる。すなわち、Ｃの部位の電位とＦの部位の電位とが同じである為、Ｇの部位の電位、すなわち、出力端Ｏから出力される信号の状態は、オフ（ＬＯＷ）となる。
【００４３】
次に、一時的な断線が発生した状態の場合（異常状態の場合）について説明する。異常上状態の場合には、Ａの部位、Ｂの部位、Ｃの部位、Ｄの部位、Ｅの部位、Ｆの部位、及びＧの部位の各々の電位の状態は、図３に示すようになる。ここで、図３に示す各部位の電位の状態は、電圧入力制御部１６ｄを設けていない場合のものである。すなわち、Ｄの部位の電位が一時的な断線が発生したタイミング（図３の箇所８０）では０となり、その結果Ｃの部位の電位とＦの部位の電位とが異なる為、Ｇの部位の電位、すなわち、出力端Ｏから出力される信号の状態は、オン（ＨＩＧＨ）となる。
【００４４】
このとき、本実施の形態の電圧入力制御部１６ｄは、異常状態判定部２４から出力された信号の状態が一旦オンになると、以降、入力部１６から直流電源生成回路１８への交流電圧の入力を停止するように制御する。
【００４５】
以上、本実施の形態の電源装置１０について説明した。なお、上記では、排他的論理和回路２４ａの出力端Ｏに電圧入力制御部１６ｄが接続された例について説明したが、本発明はこれに限られない。例えば、排他的論理和回路２４ａの出力端ＯにＣＰＵ（Central Processing Unit）が接続され、このＣＰＵが出力端Ｏから出力される信号の状態が、オン（ＨＩＧＨ）となったことを検知した場合には、異常状態であることを報知するために、異常状態であること（例えば、「一時的な断線が発生しています」のメッセージ）を表示するように表示装置（図示せず）の表示を制御したり、警報音を出力するように警報装置（図示せず）を制御してもよい。すなわち、ＣＰＵが異常状態判定部２４によって異常状態と判定された場合に、異常状態であることを報知するように制御してもよい。なお、ＣＰＵは本発明の報知制御手段に対応する。
【００４６】
また、本実施の形態では、インレット１６ａに入力された交流電圧に対して検出部２２が全波整流等を行って、オン／オフの信号を出力する例について説明したが、一時的な断線が発生したことを検出（異常状態であると判定）することが可能となる領域を更に広げるために、図４に示すように、プラグ１４ｂ内に検出部２２と同じ構成の回路を設けて、インレット１６ａに入力される前の交流電圧（すなわち、交流電源と入力部１６との間の交流電圧）に対して検出部２２が全波整流等を行って、オン／オフの信号を出力するようにしてもよい。このときプラグ１４ｂと異常状態判定部２４の排他的論理和回路２４ａとは、配線９７で接続されていることとする。また、配線９７は、上記で説明したように、プルアップ抵抗９８に接続されている。
【００４７】
また、上記では、ダイオードブリッジ１８ｃから出力された脈流電圧の値が予め定められた閾値α以上の場合には、配線９４に出力される信号の状態がオン（ＨＩＧＨ）となり、ダイオードブリッジ１８ｃから出力された脈流電圧の値が閾値α未満の場合には、配線９４に出力される信号の状態がオフ（ＬＯＷ）となるフォトカプラ２０ａを用いた場合について説明したが、本発明はこれに限られない。例えば、このフォトカプラ２０ａに代えて、ダイオードブリッジ１８ｃから出力された脈流電圧の値が予め定められた閾値α以上の場合には、配線９４に出力される信号の状態がオフ（ＬＯＷ）となり、ダイオードブリッジ１８ｃから出力された脈流電圧の値が閾値α未満の場合には、配線９４に出力される信号の状態がオン（ＨＩＧＨ）となるフォトカプラを用いてもよい。この場合には、フォトカプラ２２ｃに代えて、ダイオードブリッジ２２ａから出力された脈流電圧の値が予め定められた閾値α以上の場合には、配線９７に出力される信号の状態がオフ（ＬＯＷ）となり、ダイオードブリッジ２２ａから出力された脈流電圧の値が閾値α未満の場合には、配線９７に出力される信号の状態がオン（ＨＩＧＨ）となるフォトカプラを用いることとする。このとき、オフの信号の状態は、本発明の第１の状態に対応し、オンの信号の状態は、本発明の第２の状態に対応する。
【００４８】
また、上記では、１組の直流電源生成回路１８及び負荷９２に対応させて、１つの電圧状態検出部２０及び異常状態判定部２４を設けた例について説明したが、本発明はこれに限られない。例えば、複数組の直流電源生成回路１８及び負荷９２が設けられている場合には、この複数組の直流電源生成回路１８及び負荷９２に対応させて、複数の電圧状態検出部２０と同様の回路及び異常状態判定部２４と同様の回路を設けるようにしてもよい。
【００４９】
次に第２の実施の形態について説明する。第２の実施の形態では、制御部及びゼロクロスを含む予め定められた領域を検出するゼロクロス検出部が設けられている点が第１の実施の形態と異なる。なお、第１の実施の形態と同様の構成については、同一の符号を付して説明を省略する。
【００５０】
図５に示すように、第２の実施の形態の電源装置１１は、ゼロクロス検出部１３、及び制御部１５を備えている。なお、以下「ゼロクロス」を「零交差点」と称する場合がある。
【００５１】
ゼロクロス検出部１３は、入力部１６の商用電源ライン（ホットライン／ニュートラルライン）のＧＦＩ１６ｂとノイズフィルタ１６ｃとの間の部位７３ａ、部位７３ｂに接続されている。ゼロクロス検出部１３は、交流電源１２から入力部１６に印加されている交流電圧が電圧０（零交差点）を通過するタイミングを検出し、図６に示すように、この零交差点を含む予め定められた領域をオン信号のゼロクロス信号として、詳細を以下で説明する制御部１５に出力する。すなわち、ゼロクロス検出部１３から出力される信号の状態がオンの状態を示している場合には、交流電源から入力部１６に印加されている交流電圧の零交差点を含む予め定められた領域が検出されたタイミングであると考えることができる。すなわち、ゼロクロス検出部１３は、入力部１６に印加されている交流電圧の零交差点を含む予め定められた領域を検出する。なお、ゼロクロス検出部１３は、本発明の領域検出手段に対応する。
【００５２】
制御部１５は、図７に示すように、ＲＯＭ（Read Only Memory）１５ａ、ＲＡＭ（Random Access Memory）１５ｂ、ＣＰＵ（Central Processing Unit）１５ｃ、及びＩ／Ｏ（入出力）ポート１５ｄを含んで構成されている。これら、ＲＯＭ１５ａ、ＲＡＭ１５ｂ、ＣＰＵ１５ｃ、及びＩ／Ｏポート１５ｄは、互いにバス１５ｅを介して接続されている。
【００５３】
記憶媒体としてのＲＯＭ１５ａには、ＯＳ等の基本プログラムが記憶されている。また、ＲＯＭ１５ａには、詳細を以下で説明する異常判定処理の処理ルーチンを実行するためのプログラムが記憶されている。
【００５４】
ＣＰＵ１５ｃは、プログラムをＲＯＭ１５ａから読み出して処理を実行する。ＲＡＭ１５ｂには、各種データが一時的に記憶される。
【００５５】
Ｉ／Ｏポート１５ｄには、排他的論理和回路２４ａの出力端Ｏ、及びゼロクロス検出部１３が接続されている。
【００５６】
ここで、一時的な断線が発生していない状態で、かつＣの部位の信号に対してＦの部位の信号に遅延が発生した状態の場合（以下、「遅延発生時の場合」と称する場合がある）について説明する。この場合には、図５に示すＡの部位、Ｂの部位、Ｃの部位、Ｄの部位、Ｅの部位、Ｆの部位、及びＧの部位（排他的論理和回路２４ａの出力端Ｏから出力される信号の電位を示す部位）の各々の電位の状態は、例えば、図８に示すようになる。すなわち、Ｃの部位の信号に対してＦの部位の信号に遅延が発生しているため、排他的論理和回路２４ａの出力端Ｏから出力される信号（Ｇの部位の信号）の状態に、ハイとなる部分が含まれる。
【００５７】
次に、一時的な断線が発生していない状態であるが、フォトカプラ２０ａの閾値（スレッシュホルド）とフォトカプラ２２ｃの閾値とが異なる場合（以下、「閾値が相違する場合」と称する場合がある。）について説明する。この場合には、図５に示すＡの部位、Ｂの部位、Ｃの部位、Ｄの部位、Ｅの部位、Ｆの部位、及びＧの部位の各々の電位の状態は、例えば、図９または図１０に示すようになる。すなわち、フォトカプラ２２ｃの閾値αと、フォトカプラ２０ａの閾値αとが完全に同一ではなく、その値が異なるため、Ｃの部位の信号の波形と、Ｆの信号の波形が異なり、その結果、排他的論理和回路２４ａの出力端Ｏから出力される信号の状態に、ハイとなる部分が含まれる。
【００５８】
次に、制御部１５のＣＰＵ１５ｃが実行する異常判定処理の処理ルーチンについて図１１を参照して説明する。なお、本実施の形態では、画像形成装置に電源を供給するためのスイッチ（図示せず）が、画像形成装置に電源が供給されるように操作されると、ＣＰＵ１５ｃによって、図１１に示す異常判定処理が実行される。
【００５９】
まず、ステップ１００では、ゼロクロス検出部１３からの信号を取り込み、次のステップ１０２で、取り込んだ信号がオン状態であるか否かを判定することにより、零交差点を含む予め定められた領域を検出したか否かを判定する。
【００６０】
ステップ１０２で、取り込んだ信号がオン状態であると判定された場合には、ステップ１００に戻る。一方、ステップ１０２で、取り込んだ信号がオン状態でないと判定された場合には、次のステップ１０４で、排他的論理和回路２４ａからの信号を取り込む。
【００６１】
次のステップ１０６では、取り込んだ信号がオン状態であるか否かを判定することにより、異常状態であるか否かを判定する。ステップ１０６で、取り込んだ信号がオン状態でないと判定された場合にはステップ１００に戻る。一方、ステップ１０６で、取り込んだ信号がオン状態であると判定された場合には、異常状態であると判定し、次のステップ１０８で、電流を導通させなくなるようにするための信号（状態がオンの信号）を電圧入力制御部１６ｄに入力する。なお、上述したように、電圧入力制御部１６ｄは、ノイズフィルタ１６ｃと直流電源生成回路１８とを接続する配線９０に流れる電流の導通、非導通を制御するためのものであり、入力された信号の状態がオフである場合には電流を導通させるが、入力された信号の状態が一旦オンになると、以降、電流を導通させなくなるようにする。そして、異常状態判定処理を終了する。異常状態判定処理により、上記の「遅延発生時の場合」及び「閾値が相違する場合」であっても、異常状態と誤判定（誤検知）されない。なお、タイマ機能などを用いて、ゼロクロス信号を元に、異常状態であるか否かを判定しない期間を可変としてもよい。
【００６２】
次に第３の実施の形態について説明する。図１２に示すように、第３の実施の形態の電源装置９では、ゼロクロス検出部１３が設けられていない点、及び図１３に示す異常状態判定処理を制御部１５が実行する点が第２の実施の形態と異なる。なお、第２の実施の形態と同様の構成については、同一の符号を付して説明を省略する。
【００６３】
本実施の形態の制御部１５のＣＰＵ１５ｃが実行する異常判定処理の処理ルーチンについて図１３を参照して説明する。なお、本実施の形態では、画像形成装置に電源を供給するためのスイッチ（図示せず）が、画像形成装置に電源が供給されるように操作されると、ＣＰＵ１５ｃによって、図１３に示す異常判定処理が実行される。
【００６４】
まず、ステップ２００で、排他的論理和回路２４ａからの信号の状態を予め定められた時間（例えば、５秒）監視する。次のステップ２０２では、予め定められた周期パターンと、排他的論理和回路２４ａからの信号の状態とを比較して一致するか否かを判定することにより、排他的論理和回路２４ａからの信号のオンとなった状態の部分の時間間隔が、周期的な時間間隔であるか否かを判定する。なお、上記の周期パターンとして以下のものが用いられる。例えば、上記「遅延発生時の場合」の排他的論理和回路２４ａの出力端Ｏから出力される信号の波形（すなわち、Ｇの部位の信号の波形）、及び上記「閾値が相違する場合」の排他的論理和回路２４ａの出力端Ｏから出力される信号の波形（すなわち、Ｇの部位の信号の波形）が上記周期パターンとして用いられる。これらの「遅延発生時の場合」のＧの部位の信号の波形、及び上記「閾値が相違する場合」のＧの部位の信号の波形は予め実験によりに取得される。ここで、これらの周期パターンは、例えば、図１４に示すように、Ｘ（例えば５）ｍｓｅｃ、Ｙ（例えば１）ｍｓｅｃの時間間隔が交互に表れており、Ｘｍｓｅｃ、Ｙｍｓｅｃの時間間隔が交互に表れるような、隣り合うハイレベルの時間間隔が予め定められた規則性を有している。このような規則性を有している場合の周期パターンの信号における隣り合うハイレベルの時間間隔を、「周期的な時間間隔」と称する。なお、上記の例は、「周期的な時間間隔」の一例である。上記の例に限られず、隣り合うハイレベルの時間間隔が予め定められた規則性を有していれば、その場合の周期パターンの信号における隣り合うハイレベルの時間間隔は、「周期的な時間間隔」である。
【００６５】
ステップ２０２で、排他的論理和回路２４ａからの信号のハイとなった状態の部分の隣り合う時間間隔が、周期的な時間間隔であると判定された場合には、異常状態でない（すなわち正常状態である）と判定し、ステップ２００に戻る。一方、ステップ２０２で、排他的論理和回路２４ａからの信号のハイとなった状態の部分の隣り合う時間間隔が、周期的な時間間隔でないと判定された場合には、異常状態であると判定し、次のステップ２０４で、電流を導通させなくなるようにするための信号（状態がオンの信号）を電圧入力制御部１６ｄに入力し、異常状態判定処理を終了する。
【００６６】
以上、説明したように、本実施の形態では、排他的論理和回路２４ａからの信号のハイとなった状態の部分の隣り合う時間間隔が、周期的な時間間隔でない場合には、異常状態と判定すると共に、排他的論理和回路２４ａからの信号がハイとなった状態であっても、この状態の部分の隣り合う時間間隔が、周期的な時間間隔である場合には、正常状態と判定する。
【符号の説明】
【００６７】
１０      電源装置
１６      入力部
１８      直流電源生成回路
１８ｃ    ダイオードブリッジ
２０      電圧状態検出部
２２      検出部
２２ａ    ダイオードブリッジ
２２ｂ    電圧状態検出部
２４      異常状態判定部
【図１】
2010220459.tif 000003
【図２】
2010220459.tif 000004
【図３】
2010220459.tif 000005
【図４】
2010220459.tif 000006
【図５】
2010220459.tif 000007
【図６】
2010220459.tif 000008
【図７】
2010220459.tif 000009
【図８】
2010220459.tif 000010
【図９】
2010220459.tif 000011
【図１０】
2010220459.tif 000012
【図１１】
2010220459.tif 000013
【図１２】
2010220459.tif 000014
【図１３】
2010220459.tif 000015
【図１４】
2010220459.tif 000016